(57)【要約】【課題】載置セットしたろうそく体内部に配した光源によって独特な美しい光の装飾性をろうそく体に付与し、またそれを点滅させるようにする。【解決手段】ろうそく体２を載置させる燭台本体７と、ろうそく体２の底部から内部に形成した投光空間凹部１４内に収容配置し、電源４の電力で発光する一または複数の光源５を備えて燭台本体７上に設けた発光ユニット６と、発光ユニット６の光源５への通電を制御する制御スイッチ３５とを備える。発光ユニット６は、複数の光源５を交互にあるいは重複して発光させる発光制御部３１を備え、発光ユニット６周囲には所要の文字や模様を表示した光透過性フィルム１８を、発光ユニット６外側面と投光空間凹部１４内側面との間に配置する。制御スイッチ３５は、燭台本体７に設けたタッチセンサ手段、重力センサ手段、手動スイッチ手段のいずれかであるものとして構成する。【選択図】　　　図２
0003097455.tif 000002
【実用新案登録請求の範囲】
【請求項１】
ろうそく体を載置させる燭台本体と、ろうそく体の底部から内部に形成された投光空間凹部内に収容配置され、電源の電力で発光する一または複数の光源を備えて燭台本体上に設けられた発光ユニットと、発光ユニットの光源への通電を制御する制御スイッチとを備えたことを特徴とするろうそく用燭台。
【請求項２】
発光ユニットは、複数の光源を交互にあるいは重複して発光させる発光制御部を備えてなるものである請求項１記載のろうそく用燭台。
【請求項３】
制御スイッチは、燭台本体に設けたタッチセンサ手段、重力センサ手段、手動スイッチ手段のいずれかである請求項１または２の何れか記載のろうそく用燭台。
【請求項４】
発光ユニット周囲に、光透過性のある所要の文字や模様を施してなるものである請求項１乃至３の何れか記載のろうそく用燭台。
【請求項５】
発光ユニット周囲に施される所要の文字や模様は、光透過性フィルムに表示したものであり、この光透過性フィルムは、発光ユニット外側面と投光空間凹部内側面との間に配置してなるものである請求項１乃至４の何れか記載のろうそく用燭台。
【考案の詳細な説明】
【０００１】
【考案の属する技術分野】
この考案はろうそく体を載置させて支持するとき、自体への手指等の接触状態あるいはろうそく体の載置状態等を検知することでろうそく体の内部に配置される光源が光り輝くようにし、ろうそく体から所要色の光の装飾性を発揮させるようにしたろうそく用燭台に関する。
【０００２】
【従来の技術】
従来から、例えば丸い果実や花等を象ったり、外周に螺旋状の模様を象ったりしたろうそくが広く知られている。一般に、ろうそくはろうそく本体に固定した可燃芯が着火されることで、可燃芯が自らの燃焼炎とともに可燃芯付近の蝋材を溶解させ吸収し燃焼炎を発し続けることで周囲を照らすものである。
【０００３】
【考案が解決しようとする課題】
しかしながら、従来のろうそくは、単に可燃芯が自らの燃焼炎で周囲の蝋材を溶解しながら、この溶解蝋を吸収し燃焼炎を発するというもので、周囲を単に照らすにすぎないから光の装飾性を発揮するものとしては極めて単調であっても、比較的に携帯自在で、取り扱いが容易であるから非常用等に主として使用されている。ただ、こうした携帯自在であることを利用して例えば特定の宗教儀式に多く使用されることがあっても、家庭用としてあるいは店舗等の業務用としてもあまり利用されていないのが実情である。
【０００４】
そこでこの考案は叙上のような従来存した諸事情に鑑み案出されたもので、ろうそく体自体の可燃芯の燃焼炎による周囲への照射以外にも、ろうそく体自体に内部の光源から発せられる光の装飾性を発揮させるようにでき、もって周囲の環境に独特な美しい雰囲気を醸成できるような燭台を提供することを第一の目的とする。またろうそく体内部に配置される光源の発光・消光を、燭台に対する手指等の接触状態、あるいはろうそく体が載置されることによる重量の検知状態、更には手動スイッチ操作等により切換え制御でき、これにより外観を損なうことのない燭台を提供することを第二の目的とし、更に使用時に光の文字や模様によるメッセージをもイルミネーションとしてろうそく体の周囲で表示させることができる燭台を提供することを第三の目的とする。
【０００５】
【課題を解決するための手段】
上述した課題を解決するため、この考案にあっては、ろうそく体２を載置させる燭台本体７と、ろうそく体２の底部から内部に形成された投光空間凹部１４内に収容配置され、電源４の電力で発光する一または複数の光源５を備えて燭台本体７上に設けられた発光ユニット６と、発光ユニット６の光源５への通電を制御する制御スイッチ３５とを備えたものである。
発光ユニット６は、複数の光源５を交互にあるいは重複して発光させる発光制御部３１を備えて構成できる。また、この発光ユニット６周囲に、光透過性のある所要の文字や模様を施してなるものとでき、より具体的には、発光ユニット６周囲に施される所要の文字や模様は、光透過性フィルム１８に表示したものであり、この光透過性フィルム１８は、発光ユニット６外側面と投光空間凹部１４内側面との間に配置してなるものとできる。
制御スイッチ３５は、燭台本体７に設けたタッチセンサ手段、重力センサ手段、手動スイッチ手段のいずれかであるものとして構成できる。
【０００６】
以上のように構成されたこの考案に係るろうそく用燭台にあって、例えば人の手指の燭台本体７への接触によるタッチセンサ手段、ろうそく体２の載置による重力センサ手段、ＯＮ−ＯＦＦの手動操作による手動スイッチ手段等で通電させる制御スイッチ３５は、発光ユニット６内を通電状態にし、これにより電源４からの電力が光源５に供給されるため光源５が発光する。光源５の発光は、投光空間凹部１４により比較的肉薄となったろうそく体２の側面部分を透過して発散されるため、ろうそく体２自体でカラフルで独特な光のイルミネーションを発揮させる。
発光ユニット６の発光制御部３１は、各光源５を例えば所定時間毎に繰り返し交互に発光させ、また発光色が異なる光源５の重複でそれらの混色によるグラデーションによる順次の色彩変化を楽しませる。
また発光ユニット６は制御スイッチ３５を備えているため、例えば人の手指等によるタッチセンサ手段、ろうそく体２自体の載置あるいは取り上げ、手動スイッチによるＯＮ−ＰＦＦ操作等に応じて光源５の発光・消光を繰り返し切換えさせる。
燭台本体７に配置の発光ユニット６は、ろうそく体２の投光空間凹部１４内に配置されることでろうそく体２をぼんやりとでも光り輝かせ、発光ユニット６と投光空間凹部１４との間に配置した光透過性フィルム１８で、光透過性のある所要の文字や模様が光源５の発光時にはろうそく体２自体から発光する文字や模様のイルミネーションを発揮させる。
【０００７】
【考案の実施の形態】
以下図面を参照してこの考案の一実施の形態を説明する。図において示される符号１燭台本体７上に発光ユニット６を設けて成るは燭台であり、燭台本体７上に載置セットされるろうそく体２の内部に発光ユニット６が配置され、ろうそく体２に内蔵された状態にあるとき、発光ユニット６の発光でろうそく体２を内部から光り輝くようにさせるものである。すなわち、図２（Ａ）乃至図４にも示すように蝋材からなるろうそく体２と、ろうそく体２の中心に垂直に位置する例えば可燃性の繊維等からなる可燃芯３と、例えば偏平型電池の如き電源４と、例えばＬＥＤ，ＵＶＬＥＤの如き赤、青、黄等の何れかに発光する複数の光源５と、電源４及び電源４の電力で発光する複数の光源５を具備した発光ユニット６と、発光ユニット６を載置するとともに発光ユニット６の光源５への通電を制御する例えばタッチセンサ手段、重力センサ手段、手動スイッチ手段等の制御スイッチ３５を有する燭台本体７とを備えて構成されている。尚、ろうそく体２は、例えば燭台本体７上に載置することで燭台本体７上の発光ユニット６を収容するものである。
【０００８】
発光ユニット６は、図３に示すように、例えば燭台本体７の中心上に設けられるものであり、電源４の電力で発光する複数の光源５、及び複数の光源５を例えば所定時間間隔毎に交互にあるいは重複させて発光させる発光制御部３１を実装する基板３２と、電源４との電気的接続を図る端子、及び燭台本体７の制御スイッチ３５との電気的な接続を図る端子（端子はいずれも図示せず）を有するとともに、左右に直立するフレーム３３を有し、この左右のフレーム３３を下方から基板３２の両端に固定することで基板３２の背面に対し電源４の収納装着を挟持固定する電源固定部３４と、例えば基板３２に実装されてタッチセンサ、重力センサ等による検知を感知し光源５の発光・消光を繰り返し切換えるための例えばスイッチ回路の如き制御スイッチ３５と、電源４を収納装着した状態の基板３２及び電源固定部３４を収容する例えば透明の合成樹脂材等からなる収容ケース３６とを具備して構成されている。
【０００９】
収容ケース３６は、例えば円筒状をなしており、例えば天面内側に複数の光源５夫々の位置に対応した複数の凸レンズ３７を有するとともに、下方の開放口から電源４を収納装着した状態の基板３２及び電源固定部３４を収容するケース本体３８と、ケース本体３８の下方の開放口を閉塞する閉塞体３９とを備えて構成されている。尚、電源４は、ろうそく体２における後述の可燃芯３が着火後、蝋材の溶解が進み完全に焼失してしまうまでの間の時間経過分を少なくとも備えることで光源５への電力供給ができる程度の電圧容量を具備していれば良く、この観点から、あるいは光源５の発光の強度をある程度以上のレベルに引き上げるという観点から複数の電源４を用いても良い。
【００１０】
燭台本体７は、例えばろうそく体２を載置できる程度の大きさ面積を有する中央の例えば円形平板状の底壁部分４１と、底壁部分４１の周囲から上方に湾曲して円周上に延びる湾曲壁部分４２とから成り、制御スイッチ３５を例えばタッチセンサ手段構造とするとき、例えば内側及び外側を含め全表面を通電可能の樹脂コーティング等で覆い、例えば人の手指が触れることによる静電気を捕らえて発光ユニット６のタッチセンサ用の端子に対し通電を起こし、これにより発光制御部３１を起動させ光源５を発光させるものである。あるいは制御スイッチ３５を例えば重力センサ手段構造とするとき、この燭台本体７における底壁部分４２のろうそく体２自体が載置される例えば中央部分に設けられ、更に制御スイッチ３５を例えば手動スイッチ手段構造とするとき、この燭台本体７における底壁部分４１あるいは湾曲壁部分４２の適当な部位に回転式、スライド式その他の手動操作によるスイッチ片を配置する。尚、燭台本体７は、図示の形状に限定されるものではなく、その形状は任意に定められるものである。
【００１１】
更に、発光ユニット６には、その外周側面に、光透過性のある所要の文字や模様を施すことが可能であり、具体的には例えば「誕生日おめでとう」等の如き光透過性のある文字等を例えば印刷もしくは貼付することで表示した光透過性フィルム（図４参照）１８を発光ユニット６の外周面に貼付等によって配置する。尚、この光透過性フィルム１８は、発光ユニット６が、燭台本体７上にろうそく体２が載置されたときにその投光空間凹部１４内に収容配置された状態で、発光ユニット６外周面と投光空間凹部１４内周面との間に位置されればよいから、場合によっては投光空間凹部１４内周面に予め配置されることもある。
【００１２】
ここで燭台１の組立につき説明すると、発光ユニット６において、基板３２に所要の回路（集積回路）を形成した上で複数の光源５を実装するとともに発光制御部３１及び制御スイッチ３５を実装し、かつ電源固定部３４に所要の端子（図示せず）を装着した上でフレーム３３を介して基板３２と電源固定部３４とを一体的に固定し、更に基板３２と電源固定部３４との間に電源４を収容装着し、この基板３２及び電源固定部３４を収容ケース３６内に収容することで発光ユニット６を製作する。また一方で、燭台本体７に全表面を覆うタッチセンサ（図示せず）を例えばコーティングすることで形成しておく。この後、燭台本体７の中心に発光ユニット６を載置するとともに、発光ユニット６を必要に応じて燭台本体７に固定するのである。
【００１３】
一方、ろうそく体２は、図示例では円柱状の形状をなすものとして形成され、天部１１に形成された可燃芯３の燃焼炎により溶解された溶解蝋が外部へ漏れることを防止するためのガイド凹部１２と、底部１３の中心から内部に掛けて形成された発光ユニット６を収容するとともにろうそく体２の光透過面となる光源５の周囲の部分を肉薄にして光透過性を向上させるためのための投光空間凹部１４と、中心の垂直方向に形成された可燃芯３を収容するための可燃芯収容孔１５とを有して構成されている。
【００１４】
また、ガイド凹部１２上には、例えば円形状をなすとともに中心に可燃芯通過口１６を有し溶解蝋を集蝋可能である例えばアルミニウム材やステンレス材等からなる集蝋プレート（図２（Ｂ）参照）１７が載置される。この集蝋プレート１７は、所要の文字や模様として例えば「誕生日おめでとう」等の如き文字が施されるものであり、必要に応じて全体的に下方に窪ませることも好ましい態様である。
【００１５】
そして図示のように、ろうそく体２のガイド凹部１２上には、蝋製の蓋部２１が載置される。この蓋部２１は、底面２２に対しガイド凹部１２の側壁内周内に収まってその内壁内周に密接するか、近接するかする態様でろうそく体２の天部１１への載置を安定させるための環状の載置安定突起２３を備えている。また、蓋部２１の蓋天部２４には溶解した蝋材の外部漏れを防止するための漏れ防止凹部（図示せず）を形成しても良い。尚、蓋部２１は、本例では中心の垂直方向に自らの蝋材で可燃芯３を固定しているものであるが、この中心に可燃芯３を固定せずに可燃芯３を挿通させる可燃芯収容孔（図示せず）を形成して対処しても良い。この場合、可燃芯３は、ろうそく体２の中心の垂直方向にろうそく体２自体の蝋材で固定するようにすると良い。何れにしても、可燃芯３は、発光ユニット６を溶解蝋から保護するため投光空間凹部１４内には露出しないようにすることが好ましい。
【００１６】
こうしたろうそく体２の組立の一例につき、図４を参照して説明すると、例えば先ず図示しない成形型に溶解状の蝋材を流し込んでガイド凹部１２、投光空間凹部１４、及び可燃芯収容孔１５を有するろうそく体２を成形する。そしてガイド凹部１２上に例えば「誕生日おめでとう」の如き文字が施された集蝋プレート１７を載置するとともに、投光空間凹部１４の内壁に例えば「誕生日おめでとう」等の如き光透過性のある文字が印刷された光透過性フィルム１８を貼付する。同じく図示しない他の成形型に例えば可燃芯３を位置させながら溶解状の蝋材を流し込んで可燃芯３を固定するとともに載置安定突起２３を有する蓋部２１を成形し、ろうそく体２の可燃芯収容孔１５内に蓋部２１に固定された可燃芯３を挿通させながらガイド凹部１２を有する天部１１上に蓋部２１を載置する。
【００１７】
次にこの考案に係る燭台の使用の一例について説明すると、例えば図示しないテーブル等の上に置き、燭台本体７における発光ユニット６を隠すようにろうそく体２を燭台本体７上に載置セットし、ろうそく体２の可燃芯３に着火する。すると、可燃芯３の燃焼炎が集蝋プレート１７を過熱させ、集蝋プレート１７の伝熱効果によりろうそく体２の蝋材をむらなく溶解させ、かつ集蝋プレート１７の光沢性による逆光効果によりシーリング（蓋部２１）に反射しキャンドル１としての発光効率を向上させる。そして集蝋プレート１７に施した「誕生日おめでとう」等の如き文字が露出されると、送り手からの心を込めたメッセージを受け手に対し示すことができる。
【００１８】
一方、燭台本体７に形成したタッチセンサ手段に人の手指が触れると、人の静電気がタッチセンサ手段から発光ユニット６の電源固定部３４のタッチセンサ用の端子（図示せず）を介して制御スイッチ３５に通電され、制御スイッチ３５の接続動作により電源４の電力が発光制御部３１へ供給される。すると、この電力が発光制御部３１の駆動を介し順次例えば一つずつの光源５へ供給されるため各光源５が順次に発光し、あるいは重複して各光源５が発光して混色された光がグラディーションとして変化発光する。この結果、ろうそく体２には内部の各光源５の発光による例えば赤、青、黄等の光の装飾性が順次に発揮され、更にはその制御方法によって重なり、混色されながら変更発光され、特にろうそく体２において投光空間凹部１４によって肉薄となる側面部分から明るく美しい光のイルミネーションが発揮される。それとともに、当該部分に光透過性フィルム１８の存在による例えば「誕生日おめでとう」の如き光の文字の装飾性も発揮され、周囲の環境に美しい光の独特な雰囲気を与えるものとなる。また、もう一度人の手指がタッチセンサ手段に触れると、制御スイッチ３５の切断動作により光源５への電力の供給が遮断されるため光源５が消光してろうそく体２からの光のイルミネーションも消える。
【００１９】
また重力センサ手段による場合にはろうそく体２の燭台本体７への載置・取り外し、あるいは手動スイッチ手段による場合にはそのスイッチ片のスライド、回転等によって夫々発光ユニット６が発光あるいは消光する。
【００２０】
尚、発光制御部３１は、内部の設定により複数の光源５を同時に発光させ、これによりろうそく体２からより多彩な発光色のイルミネーションを発揮させるようにすることも可能であり、また、ろうそく体２としても様々な有色性をもたせることで、より独特な光の雰囲気を醸成するようにすることも可能であり、しかもこれらの関係で光透過性フィルム１８に施す文字等の色合いに黒等の濃い色を用いて文字が影の如く現われる逆のコントラストを演出するようにすることも可能である。
【００２１】
また、本実施の形態にあっては、光源５を備えた発光ユニット６を用いた場合について説明したが、例えば電子的な音源から所要の楽音を発生する発音ユニット（図示せず）を用いても良いことは勿論である。
【００２２】
【考案の効果】
この考案は以上のように構成したために、燭台本体７上の発光ユニット６を覆うようにろうそく体２を燭台本体７に載置しておき、手指による接触、ろうそく体２の載置・取り外し、手動操作等による制御スイッチ３５の作動でＯＮ−ＯＦＦされることで発光ユニット６内部の光源５から発せられる光の装飾性でろうそく体２をその内部から光り輝くようにでき、もって周囲の環境に独特な美しい雰囲気を演出することができ、これにより外観を損なうことなくデザイン的にも優れたものにすることができる。
【００２３】
即ち、これはこの考案において、ろうそく体２を載置させる燭台本体７と、ろうそく体２の底部から内部に形成された投光空間凹部１４内に収容配置され、電源４の電力で発光する一または複数の光源５を備えていて、燭台本体７上に設けられた発光ユニット６と、発光ユニット６の光源５への通電を制御する制御スイッチ３５とを備えたからであり、これによって、ろうそく体２内部からの光源５の発光による独特な光のイルミネーションを発揮して、周囲の環境に美しい雰囲気を与えることができる。特にシックな雰囲気を味わいたい人々には、その一時の語らいに独特な光の演出効果をもって花を添えるものとなり、殊に互いの親密さや愛情を深めるのにも絶好の雰囲気を演出して人々の気持ちを独特な光の雰囲気で潤すことができるのである。
【００２４】
発光ユニット６は、複数の光源５を交互にあるいは重複して発光させる発光制御部３１を備えているから、各光源５を例えば所定時間毎に繰り返し交互に発光させたり、光の混色を生じさせながらのグラデーションで次第に光を色彩変化させたりすることができ、より一層美しい光のイルミネーションを発揮することができる。
【００２５】
制御スイッチ３５は、燭台本体７に設けたタッチセンサ手段、重力センサ手段、手動スイッチ手段によるものであるために、例えば人の手指の接触によって、ろうそく体２の載置・取り外しによって、直接の手動操作等によって光源５の発光・消光を繰り返し切換えることができ、極めて扱い易いものである。
【００２６】
ろうそく体２に投光空間凹部１４を形成しておくことで、ろうそく体２の光透過部分の肉厚を薄くすることができるため、この部分からろうそく体２内部に収容配置の発光ユニット６の光源５の発光を明るく発散することができ、従って発光の美しさを強調することができるとともに、電源４の節約をも可能にすることができる。
【００２７】
また、所要の文字や模様を光透過性フィルム１８に表示して、この光透過性フィルム１８を発光ユニット６周囲に配置することで、例えば「誕生日おめでとう」等の如き文字が施された光透過性フィルム１８を配置した場合、光源５の発光時にはろうそく体２に美しく発光する文字によるメッセージのイルミネーションを発揮させることができ、従ってより一層人々の親密さや愛情を深めるのに絶好の雰囲気を演出することができ、あるいは他の所要の文字や模様を施すことにより独特な芸術効果や広告効果を演出することもできる。
【図面の簡単な説明】
【図１】この考案の一実施の形態における使用状態の斜視図である。
【図２】同じく使用状態時の内部構成を説明するもので、（ａ）は断面図、（Ｂ）はろうそく体における集蝋プレートの平面図である。
【図３】同じく発光ユニットの構成を示す分解斜視図である。
【図４】同じくろうそく体の組立の一例を説明する分解断面図である。
【符号の説明】
１…燭台　　　　　　　　　　　　　　　２…ろうそく体
３…可燃芯　　　　　　　　　　　　　　４…電源
５…光源　　　　　　　　　　　　　　　６…発光ユニット
７…燭台本体
１１…天部　　　　　　　　　　　　　　１２…ガイド凹部
１３…底部　　　　　　　　　　　　　　１４…投光空間凹部
１５…可燃芯収容孔　　　　　　　　　　１６…可燃芯通過口
１７…集蝋プレート　　　　　　　　　　１８…光透過性フィルム
２１…蓋部　　　　　　　　　　　　　　２２…底面
２３…載置安定突起　　　　　　　　　　２４…蓋天部
３１…発光制御部　　　　　　　　　　　３２…基板
３３…フレーム　　　　　　　　　　　　３４…電源固定部
３５…制御スイッチ　　　　　　　　　　３６…収容ケース
３７…凸レンズ　　　　　　　　　　　　３８…ケース本体
３９…閉塞体
４１…底壁部分　　　　　　　　　　　　４２…湾曲壁部分
【図１】
0003097455.tif 000003
【図２】
0003097455.tif 000004
【図３】
0003097455.tif 000005
【図４】
0003097455.tif 000006